(57)【特許請求の範囲】
【請求項１】
可撓性を有する導水用ホースと、上記ホースの端部が接続される接続部材とを備え、既設建築物の防水構造の改修工事に使用される改修工事用可撓性ドレンにおいて、
上記接続部材は、
上記ホースの外面側を囲むように形成された外筒部と、
上記外筒部の内方に配置されて上記ホースの内面側を囲むように形成され、上記外筒部の基端部と一体化した内筒部と、
上記外筒部の基端部から径方向へ延びるとともに可撓性を有し、上記既設建築物に取り付けられる鍔部とを備え、
上記外筒部の基端部には、該外筒部の先端部よりも厚肉の厚肉部が形成され、該厚肉部の外面には、周方向の一部を欠損してなる欠損部が形成されていることを特徴とする改修工事用可撓性ドレン。
【請求項２】
請求項１に記載の改修工事用可撓性ドレンにおいて、
上記接続部材における上記欠損部が形成された部位の肉厚は、上記鍔部の肉厚以下に設定されていることを特徴とする改修工事用可撓性ドレン。
【請求項３】
請求項１または２に記載の改修工事用可撓性ドレンにおいて、
上記接続部材と上記ホースとは熱可塑性樹脂からなり、互いに熱融着されていることを特徴とする改修工事用可撓性ドレン。
【請求項４】
請求項１から３のいずれか１つに記載の改修工事用可撓性ドレンにおいて、
上記ホースの外面には螺旋条部が形成され、
上記接続部材の上記外筒部の内面には、上記螺旋条部が螺合する凹条部が形成され、
上記螺旋条部が上記凹条部に螺合して上記ホースが上記接続部材に接続されることを特徴とする改修工事用可撓性ドレン。
【請求項５】
請求項１から４のいずれか１つに記載の改修工事用可撓性ドレンにおいて、
上記ホース及び上記接続部材の材料が軟質塩化ビニル樹脂であることを特徴とする改修工事用可撓性ドレン。
【請求項６】
請求項１から５のいずれか１つに記載の改修工事用可撓性ドレンを使用した改修方法において、
接続部材の外筒部と内筒部との間にホースの端部を入れて上記接続部材と上記ホースとを接続する工程と、
上記接続部材の鍔部を既存建築物に沿うように配置し、既存建築物に取り付ける工程とを備えていることを特徴とする改修工事用可撓性ドレンを使用した改修方法。
【発明の詳細な説明】
【技術分野】
【０００１】
本発明は、防水の改修工事に使用する改修工事用可撓性ドレン及び改修工事用可撓性ドレンを使用した改修方法に関する。
【背景技術】
【０００２】
一般に、建築物の屋上には防水構造が設けられている。特許文献１に開示されているように、防水構造の改修工事としては、既存の防水層を全面撤去する全面撤去方式と、既存の防水層の上に新規の防水層を形成するかぶせ方式とが知られており、それらのうち、撤去方式は、既存の防水層を撤去することに伴う労力、騒音、工期長期化、廃材処理等の問題があるので、一般的にはそのような問題の少ないかぶせ方式による改修工事が多く採用されている。
【０００３】
特許文献１では、鉛製ドレン鍔の下部に接続用の管部が横方向に突出するように一体に設けられている。そして、ドレン鍔の管部に対してフレキシブルホースの端部が端末カフスによって接続されている。端末カフスは、ドレン鍔の管部の外面及びフレキシブルホースの外面を囲むように形成されており、端末カフスのフレキシブルホース側は、フレキシブルホースの外面に嵌合する一方、端末カフスのドレン鍔側は、バンドによって締結されている。これにより、屋上の雨水等がドレン鍔の管部からフレキシブルホースに流入して排水されることになる。
【先行技術文献】
【特許文献】
【０００４】
【特許文献１】特開平７−７６９０８号公報
【発明の概要】
【発明が解決しようとする課題】
【０００５】
ところが、特許文献１では、端末カフスがドレン鍔の管部の外面及びフレキシブルホースの外面を囲むように形成されているだけであり、ドレン鍔の管部の内面及びフレキシブルホースの内面にはカフス等の接続部材が存在していない状態となっている。このため、フレキシブルホースの接続部分が弱いことが考えられる。さらに接続部分が直接水を受けることになる。
【０００６】
また、特許文献１では、ドレン鍔における管部よりも下側部分が横方向に延び、管部よりも上側部分が鉛直方向に延びるように予め成形されているので、ドレン鍔は、その管部が横方向に延びるようにしか設置することができない。ところが、防水改修工事の現場では、管部の延びる方向が上下方向となるように設置したい場合もあり、その場合には特許文献１のドレン鍔では対応できないので、別形状のドレン鍔を用意しなければならず、特許文献１のドレン鍔は汎用性が低い。
【０００７】
そこで、例えば、図１１に示すように、柔軟性を有する鍔部１００に外筒部１０１と内筒部１０２とを設け、外筒部１０１と内筒部１０２との間にホース１０３の端部を入れて接続する構造が考えられる。これにより、ホース１０３の外面側と内面側とにそれぞれ外筒部１０１と内筒部１０２とが配置されるのでホース１０３の接続強度が高まるとともに、鍔部１００が水平方向に延びる姿勢で取り付ければホース１０３の端部が上下方向に延び、また、図１２に示すように鍔部１００の外筒部１０１よりも下側部分が水平になるように折り曲げて取り付ければホース１０３の端部が横方向に延びるように設置することが可能になるので汎用性が高まる。
【０００８】
しかしながら、図１１に示すように、鍔部１００に外筒部１０１と内筒部１０２とを設けると、外筒部１０１の基端部と内筒部１０２の基端部とが厚み方向に重なることになり、肉厚の厚い部分１０４ができることになる。このため、図１２に示すように鍔部１００の外筒部１０１よりも下側部分を水平に折り曲げると、肉厚の厚い部分１０４は変形し難いので、鍔部１００における外筒部１０１の基端部近傍に窪み１０５ができてしまい、その窪み１０５が雨水等のスムーズな流れを阻害する要因となる。
【０００９】
本発明は、かかる点に鑑みてなされたものであり、その目的とするところは、鍔部に形成された外筒部と内筒部との間にホースの端部を入れることによってホースの接続強度を高める場合に、ホースの端部の延びる方向が上下方向であっても横方向であっても容易に対応できるようにするとともに、いずれの場合も雨水等をスムーズに流すことができるようにすることにある。
【課題を解決するための手段】
【００１０】
上記目的を達成するために、本発明では、外筒部の基端部の外側に部分的に欠損部を設けるようにした。
【００１１】
第１の発明は、
可撓性を有する導水用ホースと、上記ホースの端部が接続される接続部材とを備え、既設建築物の防水構造の改修工事に使用される改修工事用可撓性ドレンにおいて、
上記接続部材は、
上記ホースの外面側を囲むように形成された外筒部と、
上記外筒部の内方に配置されて上記ホースの内面側を囲むように形成され、上記外筒部の基端部と一体化した内筒部と、
上記外筒部の基端部から径方向へ延びるとともに可撓性を有し、上記既設建築物に取り付けられる鍔部とを備え、
上記外筒部の基端部には、該外筒部の先端部よりも厚肉の厚肉部が形成され、該厚肉部の外面には、周方向の一部を欠損してなる欠損部が形成されていることを特徴とする。
【００１２】
この構成によれば、ホースの外面側と内面側とにそれぞれ接続部材の外筒部と内筒部とが配置されるのでホースと接続部材との接続強度が高まる。
【００１３】
改修工事の現場で、ホースの端部の延びる方向を上下方向にしたい場合には、接続部材の鍔部を水平方向にして既存建築物に取り付ける。これにより、ホースの端部の延びる方向を上下方向にすることが可能になる。一方、ホースの端部の延びる方向を横方向にしたい場合には、例えば鍔部における外筒部よりも上側部分が鉛直になるように配置するとともに、鍔部における外筒部よりも下側部分が水平になるように折り曲げて既存建築物に取り付ける。これにより、外筒部及び内筒部が横方向に延びる姿勢となるので、ホースの端部の延びる方向を横方向にすることが可能になる。鍔部を折り曲げる際、欠損部に対応する部分を折り曲げることで、欠損部の形成による薄肉化で柔軟性が高まった部分近傍が折り曲げられることになる。これにより、接続部材における内筒部の基端部近傍には内面に窪みができにくくなり、雨水等がスムーズに流れるようになる。
【００１４】
第２の発明は、第１の発明において、
上記接続部材における上記欠損部が形成された部位の肉厚は、上記鍔部の肉厚以下に設定されていることを特徴とする。
【００１５】
この構成によれば、欠損部が形成された部位の柔軟性が十分に高まるので、鍔部を折り曲げる際に接続部材の内面に窪みがより一層できにくくなる。
【００１６】
第３の発明は、第１または２の発明において、
上記接続部材と上記ホースとは熱可塑性樹脂からなり、互いに熱融着されていることを特徴とする。
【００１７】
この構成によれば、接続部材とホースとが強固に接続される。
【００１８】
第４の発明は、第１から３のいずれか１つの発明において、
上記ホースの外面には螺旋条部が形成され、
上記接続部材の上記外筒部の内面には、上記螺旋条部が螺合する凹条部が形成され、
上記螺旋条部が上記凹条部に螺合して上記ホースが上記接続部材に接続されることを特徴とする。
【００１９】
この構成によれば、ホースが接続部材に接続された状態で、ホースの螺旋条部が外筒部の凹条部に螺合しているので、接続部材とホースとの接続強度がより一層高まる。
【００２０】
第５の発明は、第１から４のいずれか１つの発明において、
上記ホース及び上記接続部材の材料が軟質塩化ビニル樹脂であることを特徴とする。
【００２１】
この構成によれば、高耐久性のドレン構造とすることが可能になるとともに、接続部材とホースとを容易に熱融着することも可能になる。さらに塩化ビニル製の防水層に熱融着して防水することも可能になる。
【００２２】
第６の発明は、第１から５のいずれか１つの改修工事用可撓性ドレンを使用した改修方法において、
接続部材の外筒部と内筒部との間にホースの端部を入れて上記接続部材と上記ホースとを接続する工程と、
上記接続部材の鍔部を既存建築物に沿うように配置し、既存建築物に取り付ける工程とを備えていることを特徴とする。
【発明の効果】
【００２３】
第１、６の発明によれば、ホースの端部の外面側及び内面側に接続部材の外筒部及び内筒部をそれぞれ配置したので、ホースと接続部材との接続強度を高めることができる。接続部材の鍔部が可撓性を有しているので、鍔部を変形させることができ、これにより、ホースの端部の延びる方向が上下方向であっても横方向であっても容易に対応できる。そして、接続部材の外筒部の基端部の外面に欠損部を形成したので、ホースの端部の延びる方向が上下方向であっても横方向であっても内面に窪み等ができにくくなり、雨水等をスムーズに流すことができる。
【００２４】
第２の発明によれば、接続部材における欠損部が形成された部位の肉厚を鍔部の肉厚以下にしたので、鍔部を折り曲げる際に接続部材の内面に窪みがより一層できにくくなる。
【００２５】
第３の発明によれば、接続部材とホースを熱融着によって強固に接続することができる。また、接続部材とホースとの間のシール性を確保することができる。
【００２６】
第４の発明によれば、ホースの螺旋条部を接続部材の外筒部の凹条部に螺合させることで、ホースと接続部材との接続強度をより一層高めることができる。
【００２７】
第５の発明によれば、ホース及び接続部材の材料を軟質塩化ビニル樹脂としたので、高耐久性のドレン構造にすることができるとともに、接続部材とホースとを容易に熱融着して接続強度を高めることができる。
【図面の簡単な説明】
【００２８】
【図１】実施形態に係る改修工事用可撓性ドレンの斜視図である。
【図２】改修工事用可撓性ドレンの側面図である。
【図３】図１におけるIII−III線断面図である。
【図４】図１におけるIII−III線に相当する断面を示す斜視図である。
【図５】接続部材の斜視図である。
【図６】接続部材の正面図である。
【図７】接続部材の側面図である。
【図８】図５におけるVIII−VIII線断面図である。
【図９】図５におけるVIII−VIII線に相当する断面を示す斜視図である。
【図１０】改修工事用可撓性ドレンの使用状態を説明する断面図である。
【図１１】欠損部が無い場合の可撓性ドレンの断面図である。
【図１２】欠損部が無い場合の可撓性ドレンの使用状態を説明する断面図である。
【発明を実施するための形態】
【００２９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３０】
図１は、本発明の実施形態に係る改修工事用可撓性ドレン１の斜視図である。この改修工事用可撓性ドレン１は、例えばビルや集合住宅等の既設建築物に設けられている防水構造の改修工事に使用されるものである。改修工事用可撓性ドレン１は、可撓性を有する導水用ホース１０と、導水用ホース１０の端部が接続される接続部材２０とを備えている。接続部材２０が既設建築物に取り付けられ、この取付状態で屋上の雨水等が導水用ホース１０から排水されるようになっている。
【００３１】
導水用ホース１０は、可撓性を有するホース、いわゆるフレキシブルホースである。導水用ホース１０の通路形成部１１は、長手方向の両端部に亘って略同一の円形断面を有するように形成されている。導水用ホース１０の材料は、柔軟性を有する熱可塑性樹脂を使用することができ、好ましくは軟質塩化ビニル樹脂等である。導水用ホース１０の外面には、螺旋条部１２が形成されている。螺旋条部１２は、導水用ホース１０の長手方向両端部に亘って連続している。螺旋条部１２は、通路形成部１１と一体成形されており、その内部には、弾性を有する金属材や樹脂材からなる螺旋形状の補強用線材１２ａが埋め込まれている。つまり、補強用線材１２ａを設けたことによって螺旋条部１２が形成されることになる。螺旋条部１２内の補強用線材１２ａにより、通路形成部１１を屈曲させたときの潰れが抑制される。
【００３２】
導水用ホース１０の長さは、導水用ホース１０の先端部が後述する既設導水管の内部において少なくとも上下方向に延びる部分に達する程度の長さであればよく、例えば３００ｍｍ以上８００ｍｍ以下に設定することができるが、５００ｍｍ程度が好ましい。また、導水用ホース１０の外径は、例えば５０ｍｍ以上１００ｍｍ以下に設定することができる。
【００３３】
図４に示すように、導水用ホース１０の通路形成部１１における接続部材２０に接続される側の端部（接続側端部）には、切欠部１１ａが形成されている。切欠部１１ａは、導水用ホース１０の接続側端部の周方向の一部を切り欠くことによって形成された部分である。
【００３４】
接続部材２０は、外筒部２１と、内筒部２２と、鍔部２３とを備えており、これら外筒部２１、内筒部２２及び鍔部２３は、図示しないが成形型によって一体成形されている。接続部材２０の材料は、柔軟性を有する熱可塑性樹脂を使用することができ、好ましくは軟質塩化ビニル樹脂等である。導水用ホース１０の材料と同じにするのが好ましい。
【００３５】
外筒部２１は、導水用ホース１０の外面側を囲むように形成された円筒状をなしている。外筒部２１の外面は滑らかな面で構成される一方、内面には、導水用ホース１０の螺旋条部１２が螺合する凹条部２１ａが形成されている。凹条部２１ａは、外筒部２１の先端部（図９等における上部）を始点とし、下方へ向かって導水用ホース１０の螺旋条部１２と同様に螺旋状に連続して延びている。
【００３６】
内筒部２２は、外筒部２１の内方に配置されて導水用ホース１０の内面側を囲むように形成された円筒状をなしている。内筒部２２の外径は、外筒部２１の内径（凹条部２１ａが形成されていない部分の内径）よりも小さく設定されており、内筒部２２の外面と、外筒部２１の内面との間に導水用ホース１０を入れることができる隙間が設けられている。
【００３７】
内筒部２２の外面及び内面は共に滑らかな面で構成されている。内筒部２２の外面は、導水用ホース１０の内面に沿うように形成されている。内筒部２２の外面と導水用ホース１０の内面とは熱融着されている。熱融着は、内筒部２２の全周に亘って行うのが好ましい。
【００３８】
内筒部２２と外筒部２１とは略同心上に位置している。内筒部２２の基端部は、外筒部２１の基端部と一体化しており、内筒部２２の基端部と外筒部２１の基端部とによって厚肉部２５が形成されている。凹条部２１ａは、厚肉部２５の上部まで形成されている。図９に示す厚肉部２５の肉厚Ａは、後述する欠損部２６が形成されていない部分において、内筒部２２の内面から外筒部２１の外面までの寸法と略同じに設定されており、内筒部２２及び外筒部２１の各肉厚よりも厚くなっている。
【００３９】
内筒部２２の長さは外筒部２１の長さよりも長く設定されている。この実施形態では、内筒部２２の長さを外筒部２１の長さの２倍以上にしている。これにより、内筒部２２と導水用ホース１０との熱融着面積を十分に広く確保することができる。
【００４０】
図９に示すように、内筒部２２の外面には、周方向の一部に突部２４が形成されている。図４に示すように、突部２４の外形状は、導水用ホース１０の切欠部１１ａの縁部の形状と略同じに設定されている。導水用ホース１０を内筒部２２と外筒部２１との間に深く入れると、内筒部２２の突部２４と導水用ホース１０の切欠部１１ａとが嵌合するようになっている。
【００４１】
鍔部２３は、外筒部２１の基端部から径方向へ延びており、既設建築物１１０（図１０に示す）に取り付けられる部分である。図１等に示すように、鍔部２３の外形は略円形とされており、その中央部に、外筒部２１及び内筒部２２が位置している。鍔部２３は、柔軟性を持った材料で形成されていることから全体が可撓性を有している。
【００４２】
図２及び図３にも示すように、上記外筒部２１の基端部の外面には、周方向の一部を欠損してなる欠損部２６が形成されている。欠損部２６は、厚肉部２５の一部に形成されたものであり、この欠損部２６の形成により、接続部材２０における欠損部２６が形成された部位の肉厚Ｔ１（図８に示す）は、図９に示す厚肉部２５の基本肉厚Ａよりも薄くなる。この実施形態では、接続部材２０における欠損部２６が形成された部位の肉厚Ｔ１を、鍔部２３の肉厚Ｔ２（図８に示す）と同じに設定している。肉厚Ｔ１は、鍔部２３の肉厚以下にするのが好ましい。これにより、欠損部２６が形成された部位の柔軟性を十分に高めることができる。
【００４３】
欠損部２６が形成された範囲は、外筒部２１の周長の１／５以上１／３以下に設定されている。欠損部２６が形成された範囲が狭くなると、後述する取付時に鍔部２３を折り曲げた際に柔軟性が足りずに内面に窪み（図１２に符号１０５で示すような窪み）ができやすくなる一方、欠損部２６が形成された範囲が広くなると、厚肉部２５のうち、肉厚が薄い範囲が拡大して強度が低下してしまう。したがって、欠損部２６が形成された範囲は上記した範囲が好ましい。
【００４４】
次に、上記導水用ホース１０を接続部材２０に接続する要領について説明する。まず、導水用ホース１０の接続側端部を接続部材２０の外筒部２１と内筒部２２との間に入れ、導水用ホース１０と接続部材２０を相対的に回転させて、導水用ホース１０の螺旋条部１２を接続部材２０の外筒部２１の凹条部２１ａに螺合させる。これにより、導水用ホース１０の接続側端部が外筒部２１と内筒部２２との間に深く入っていく。そうすると、内筒部２２の突部２４と導水用ホース１０の切欠部１１ａとが嵌合し、導水用ホース１０と接続部材２０との螺合方向への相対的な回転が阻止される。この状態で、導水用ホース１０の螺旋条部１２と接続部材２０の外筒部２１の凹条部２１ａとが係合し、導水用ホース１０と接続部材２０との中心線方向の相対的な移動が阻止される。
【００４５】
その後、接続部材２０の内筒部２２及び導水用ホース１０を加熱して内筒部２２の外面と導水用ホース１０の内面とを熱融着する。接続部材２０の内筒部２２及び導水用ホース１０は、溶剤による溶着とすることもできる。接続後には、導水用ホース１０の外面側と内面側とにそれぞれ接続部材２０の外筒部２１と内筒部２２とが配置されることになるので、導水用ホース１０と接続部材２０との接続強度を高めることができる。
【００４６】
以上の工程が、接続部材２０の外筒部２１と内筒部２２との間に導水用ホース１０の端部を入れて接続部材２０と導水用ホース１０とを接続する工程である。
【００４７】
次に、上記のように構成された改修工事用可撓性ドレン１を使用する場合について説明する。導水用ホース１０の接続側端部が上下方向に延びるようにして使用する場合には、鍔部２３を折り曲げることなく、図１等に示すように平面形状にしておき、その鍔部２３を上にして既設建築物に固着する。この工程が、接続部材２０の鍔部２３を既存建築物に沿うように配置し、既存建築物に取り付ける工程である。
【００４８】
導水用ホース１０は既設導水管（図示せず）に挿入しておく。この場合は、接続部材２０の各部を無理に変形させずに済むので、接続部材２０の内筒部２２の内面は滑らかなままである。よって、雨水等はスムーズに流れる。
【００４９】
また、図１０に示すように、改修工事現場で改修工事用可撓性ドレン１を使用する場合に、導水用ホース１０の接続側端部が横方向に延びるようにして使用する場合がある。図１０では、既設建築物１１０の屋上防水構造の改修工事を行う場合を例にして説明する。既設建築物１１０には、横方向に延びる既設ドレン１１１と、既設導水管１１２とが設けられていて、これらが経年によって劣化、損傷した場合に改修工事用可撓性ドレン１を使用して改修する。既設建築物１１０の屋上には、既設防水層１１４が設けられている。そして、改修工事用可撓性ドレン１を取り付ける前に、既設防水層１１４の上に受け鋼板１１５を固定し、この受け鋼板１１５の上に増し張りシート１１６を貼り付ける。増し張りシート１１６は止水性を有するシートであり、例えば塩化ビニル樹脂等で構成されている。
【００５０】
その後、接続部材２０の鍔部２３を既存建築物１１０に沿うように配置し、既存建築物１１０に取り付ける工程を行う。この工程では、改修工事用可撓性ドレン１の欠損部２６が下に位置するように接続部材２０を配置する。そして、鍔部２３における欠損部２６よりも上側部分を既存建築物１１０の縦面に固着し、鍔部２３における欠損部２６よりも下側部分を、内筒部２２の延長方向に略沿うように略９０°折り曲げて既存建築物１１０の上面に固着する。鍔部２３は、全周に亘って増し張りシート１１６の表面に対して熱融着や溶剤溶着によって固着する。鍔部２３を折り曲げる際には、鍔部２３及びその近傍を加熱してもよい。
【００５１】
鍔部２３を折り曲げる際、欠損部２６が下に位置するようにしているので、欠損部２６に対応する部分を折り曲げることができる。これにより、欠損部２６の形成による薄肉化で柔軟性が高まった部分近傍が折り曲げられることになる。したがって、接続部材２０における内筒部２２の基端部近傍には内面に窪みができにくくなり、雨水等がスムーズに流れるようになる。
【００５２】
以上説明したように、この実施形態によれば、導水用ホース１０の接続側端部の外面側及び内面側に接続部材２０の外筒部２１及び内筒部２２をそれぞれ配置したので、導水用ホース１０と接続部材２０との接続強度を高めることができる。接続部材２０の鍔部２３が可撓性を有しているので、鍔部２３を変形させることができ、これにより、導水用ホース１０の接続側端部の延びる方向が上下方向であっても横方向であっても容易に対応できる。そして、接続部材２０の外筒部２１の基端部の外面に欠損部２６を形成したので、導水用ホース１０の接続側端部の延びる方向が上下方向であっても横方向であっても内面に窪み等ができにくくなり、雨水等をスムーズに流すことができる。
【００５３】
また、接続部材２０における欠損部２６が形成された部位の肉厚を鍔部２３の肉厚以下にしたので、鍔部２３を折り曲げる際に接続部材２０の内面に窪みがより一層できにくくなる。
【００５４】
また、接続部材２０と導水用ホース１０を熱融着によって強固に接続することができるとともに、接続部材２０と導水用ホース１０との間のシール性を確保することができる。
【００５５】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５６】
以上説明したように、本発明に係る改修工事用可撓性ドレン及び改修工事用可撓性ドレンを使用した改修方法は、例えば既存建築物の屋上防水構造を改修する場合に適用することができる。
【符号の説明】
【００５７】
１                改修工事用可撓性ドレン
１０              導水用ホース
１２              螺旋条部
２０              接続部材
２１              外筒部
２１ａ            凹条部
２２              内筒部
２３              鍔部
２６              欠損部
【図１】
0006509629.tif 000002
【図２】
0006509629.tif 000003
【図３】
0006509629.tif 000004
【図４】
0006509629.tif 000005
【図５】
0006509629.tif 000006
【図６】
0006509629.tif 000007
【図７】
0006509629.tif 000008
【図８】
0006509629.tif 000009
【図９】
0006509629.tif 000010
【図１０】
0006509629.tif 000011
【図１１】
0006509629.tif 000012
【図１２】
0006509629.tif 000013